(57)【要約】【課題】高齢者や子供も含めた多くのユーザが製品の使用方法を容易に理解することが可能な電子マニュアルを提供することを課題とする【解決手段】本発明の電子マニュアル表示装置は、画像像取り込み部と、電子マニュアル記憶部と、選択部及び決定部を有する操作部と、制御部と、表示部と、を有し、前記画像取り込み部は、撮像部と、取り込み部と、認識部と、を有していて、位置センサ及び角度センサを有する前記制御部は、前記電子マニュアル記憶部に記憶された製品画像の中から、前記画像取り込み部で取り込んだ取り込み画像と一致する画像を選択して前記表示部に表示するとともに、前記選択部で選択された説明部位の前記画像内での位置を認識し、前記説明部位を強調表示することを特徴とする。【選択図】図１
2011158959.tif 000002
【特許請求の範囲】
【請求項１】
画像取り込み部と、電子マニュアル記憶部と、選択部及び決定部を有する操作部と、制御部と、表示部と、を有し、
前記画像取り込み部は、撮像部と、取り込み部と、認識部と、を有していて、
位置センサ及び角度センサを有する前記制御部は、前記電子マニュアル記憶部に記憶された製品画像の中から、前記画像取り込み部で取り込んだ取り込み画像と一致する画像を選択して前記表示部に表示するとともに、
前記選択部で選択された説明部位の前記画像内での位置を認識し、前記説明部位を強調表示する
ことを特徴とする電子マニュアル表示装置。
【請求項２】
前記認識部は、対象製品に取り付けられた製品名提示部を前記取り込み部で読み取り、読み取った結果から対象製品を認識することを特徴とする請求項１記載の電子マニュアル表示装置。
【請求項３】
請求項１若しくは２のいずれか１に記載の電子マニュアル表示装置が移動すると、
前記制御部の有する前記位置センサ及び前記角度センサが移動距離及び移動角度を算出し、算出された移動距離及び移動角度に応じて、前記表示部に表示されている画像を移動若しくは回転させることを特徴とする電子マニュアル表示装置。
【請求項４】
前記位置センサ及び前記角度センサは、前記製品名提示部に対する距離及び角度を認識し、前記電子マニュアル記憶部に記憶された製品画像を、前記位置センサ及び前記角度センサが認識した距離及び角度に合わせて拡大・縮小及び回転させて、前記表示部に表示することを特徴とする請求項２記載の電子マニュアル表示装置。
【発明の詳細な説明】
【技術分野】
【０００１】
本発明は、電子マニュアルを表示する装置に関する。
【背景技術】
【０００２】
家電製品をはじめとするあらゆる工業製品が高性能化していく中で、機能を使いこなせないユーザが増えてきている。特に高齢者や子供などに対しては、難解な長文の文章説明ではなく、図面を用いて１工程ごとに説明を加える必要がある。
【０００３】
現在、家電メーカー各社は、自社製品の紙媒体マニュアルを、製品購入時に製品に添付すると共に、ホームページ上でも電子化したマニュアルを公開し、より多くの利用者に対して機能説明を行っている。
【０００４】
また、こうした多数の電子化されたマニュアル（電子マニュアル）をユーザがインターネット上で検索して容易に取得する技術も開示されている（特許文献１）。
【０００５】
しかし、このような電子マニュアルは、ユーザが製品に添付されている紙媒体マニュアルを紛失した際にも確認できるようにするためのものであったり、製品購入の際の補足資料として使われるものであったりするため、紙媒体マニュアルと同一のものを単に電子文書化しただけのものであることが多い。
【０００６】
このように単に紙媒体マニュアルを電子化しただけの電子マニュアルは、説明文章と、その説明を補足する図面とで構成され、当該図面はイラストや写真などで表された静止画像である。
【０００７】
この場合、いかに工夫を凝らして図面を多くしたとしても、紙面の都合上などから図面数には限りがある上に、静止画像である以上、一の図面では、ある特定の方向からの状態を示すことしかできないという問題がある。
【０００８】
ユーザが実際に製品を使用する際、上記のようなマニュアルを参照しても、当該マニュアルの図面が製品のどの部分をどの方向から見た図なのか理解できず、説明文章を読んでも解決できずに、結局使用方法が不明のままになってしまう可能性がある。
【０００９】
そこで、静止画像ではなく、３次元の動画像アニメーションが再生されるようにした電子マニュアルが開発されている（特許文献２）。
【００１０】
しかし、特許文献２に開示されている電子マニュアルは、ユーザ自身が製品名や部品を選択して閲覧するものであり、ユーザは使用する製品や部品の名称を知っている必要がある。製品や部品の名称は、本体に記載されていることも多いが、当該名称が記載されていることに気づかなかったり、記載されている記号などが製品や部品の名称を示していることが理解されなかったりする場合もあり、そのような場合には特許文献２に開示されている電子マニュアルを利用することができない可能性がある。
【先行技術文献】
【特許文献】
【００１１】
【特許文献１】特許第４２０７２１３号公報
【特許文献２】特開２００３−５１０３１号公報
【発明の概要】
【発明が解決しようとする課題】
【００１２】
上記問題点に鑑み、本発明は、高齢者や子供も含めた多くのユーザが製品の使用方法を容易に理解することが可能な電子マニュアルを提供することを課題とする。
【課題を解決するための手段】
【００１３】
上記課題を解決するために、本発明の電子マニュアル表示装置は、画像取り込み部と、電子マニュアル記憶部と、選択部及び決定部を有する操作部と、制御部と、表示部と、を有し、前記画像取り込み部は、撮像部と、取り込み部と、認識部と、を有していて、前記認識部は、前記電子マニュアル記憶部に記憶された製品画像の中から、前記画像取り込み部で取り込んだ取り込み画像と一致する画像を選択して前記表示部に表示し、位置センサ及び角度センサを有する前記制御部は、前記選択部で選択された説明部位の前記画像内での位置を認識し、前記説明部位を強調表示することを特徴とする。
【００１４】
また、本発明の電子マニュアル表示装置の前記認識部は、対象製品に取り付けられた製品名提示部を前記取り込み部で読み取り、読み取った結果から対象製品を認識することを特徴とする。
【００１５】
さらに、ユーザが本発明の電子マニュアル表示装置を移動させたときに、前記制御部の有する前記位置センサ及び前記角度センサによって算出された移動距離及び移動角度に応じて、前記表示部に表示されている画像が、電子マニュアル表示装置の移動に連動して移動・回転することを特徴とする。
【００１６】
また、本発明の電子マニュアル表示装置が移動すると、前記制御部の有する前記位置センサ及び前記角度センサが移動距離及び移動角度を算出し、算出された移動距離及び移動角度に応じて、前記表示部に表示されている画像を移動若しくは回転させることを特徴としても良く、別の方式として、前記位置センサ及び前記角度センサは、前記製品名提示部に対する距離及び角度を認識し、前記電子マニュアル記憶部に記憶された製品画像を、前記位置センサ及び前記角度センサが認識した距離及び角度に合わせて拡大・縮小及び回転させて、前記表示部に表示することを特徴としても良い。
【発明の効果】
【００１７】
本発明の電子マニュアル表示装置によれば、ユーザは当該電子マニュアル表示装置を対象製品に向けて当該対象製品の画像を取り込みさえすれば、ユーザ自身の当該対象製品に対する角度と同じ位置関係の当該対象製品画像を見ながら所望の説明を閲覧することが可能である。
【００１８】
また、請求項２に記載の発明によれば、ユーザ自身が当該対象製品の製品名を知らなくても、本発明の電子マニュアル表示装置で製品名提示部を読み取ることにより、当該対象製品を自動認識して当該対象製品の説明を閲覧することが可能である。
【００１９】
さらに、請求項３及び４に記載の発明によれば、説明の閲覧中にユーザが移動した場合でも、ユーザの移動に応じて、本発明の電子マニュアル表示装置に映し出された製品画像も動くことにより、常にユーザから見た当該対象製品と、本発明の電子マニュアル表示装置の表示部に表示された製品画像とを一致させることが可能である。これにより、ユーザは、常に自分の目線と同じ状態の説明画像を参照することが可能であり、より容易に説明を理解することができる。
【図面の簡単な説明】
【００２０】
【図１】（ａ）本発明の電子マニュアル表示装置の機能図の一例である。          （ｂ）本発明の電子マニュアル表示装置の外観図の一例である。
【図２】本発明の電子マニュアル表示装置の使用例を示す概略図である。
【図３】本発明の電子マニュアル表示装置の使用例を示す概略図である。
【発明を実施するための形態】
【００２１】
以下、本発明を実施するための一例を図面に基づいて説明する。
【００２２】
図１（ａ）に示すように、本発明の電子マニュアル表示装置１は、画像取り込み部２、電子マニュアル記憶部３、操作部４、制御部５、表示部６を有している。
【００２３】
電子マニュアル表示装置１を利用する時には、図２に示すように、ユーザは、説明を閲覧したい対象製品の付近に立ち、電子マニュアル表示装置１を対象製品に向けた状態で取り込みボタン２０を押す。（ステップ１）
【００２４】
ユーザにより取り込みボタン２０が押されると、画像取り込み部２内の撮像部２１は、電子マニュアル表示装置１が向けられた先を撮影し、撮影した画像を取り込み部２２へと送信する。（ステップ２）
【００２５】
取り込み部２２は、受信した画像の中で、当該画像中央に配置されている対象製品以外の背景部分を削除し、すなわち、対象製品部を切り出した画像を、認識部２３へ送信する。（ステップ３）
【００２６】
認識部２３は、電子マニュアル記憶部３内の画像データベース３２に登録されている画像と、取り込み部２２から受信した画像とを比較することにより、画像データベース３２に登録されている画像の中から略一致する画像を抽出し、表示部６へ送信する（ステップ４）と共に、抽出した画像に対応付けられている対象製品名若しくは対象製品コードをマニュアルデータベース３１へ送信する（ステップ５）。
【００２７】
ここで、画像データベース３２には、同一の対象製品の３次元（３Ｄ）画像が記憶されている。認識部２３において、取り込み部２２から受信した画像と比較する際には、当該３Ｄ画像を回転させて、受信した画像と略一致する位置及び角度の２次元（２Ｄ）画像を抽出する。表示部６で表示する画像は２Ｄ画像でも３Ｄ画像でも良い。
【００２８】
マニュアルデータベース３１は、画像データベースから受信した対象製品名若しくは対象製品コードを基に、対象製品の説明データを抽出する。（ステップ６）
【００２９】
表示部６は、画像データベースから受信した画像を表示すると共に、画像内に含まれる部位のうち説明データを有する部位を抽出して、ユーザに、説明を閲覧したい部位の選択を促す。（ステップ７）
【００３０】
ここで、部位の選択を促す方法としては、表示部６に表示されている画像内に含まれる部位のうち、説明データを有する部位をリストアップして、該当する部位が表示されている箇所を矢印若しくは丸囲みで強調表示をする方法が考えられるが、該当する部位をユーザが認識できるようになっていればよく、ここで挙げた方法に限定されない。
【００３１】
ユーザは、説明を閲覧したい部位を、選択ボタン４０を用いて選択及び決定する。マニュアルデータベース３１は、ユーザが選択・決定した部位に対応する説明データを抽出し、表示部６へ送信する。（ステップ８）
【００３２】
表示部６は、マニュアルデータベース３１から受信した説明データを表示する。（ステップ９）
このとき、表示画面６０には、当該説明データと同一画面上に、強調表示若しくは認識できるような状態の当該説明部位を含む対象製品の全体画像を、表示画面６０の４隅に縮小して表示する（図３）。
また、説明データは、文章だけであっても、図面を含んでいても良い。
【００３３】
説明データ閲覧中にユーザが移動した場合には、制御部５の位置センサ５１及び角度センサ５２が電子マニュアル表示装置１の移動を感知して、表示画面６０に表示されている画像を移動に応じて変化させる。
例えば、ユーザが右に２０センチメートル移動した場合、制御部５は、電子マニュアル表示装置１が対象製品に対して右に２０センチメートル移動したことを感知し、元の表示に対して左に２０センチメートル移動させた状態の対象製品画像を表示画面６０に表示する。
【００３４】
このとき、位置センサ及び角度センサは、地面に対して上下左右及び何度移動したかを感知するのでも良いし、対象製品の特定部位（例えば、製品名提示部）に対してどの程度移動したかを感知するのでも良い。
【００３５】
上記のように、本発明の電子マニュアル表示装置によれば、高齢者や子供も含めた多くのユーザが製品の使用方法を容易に理解することができる。
【００３６】
なお、本発明は、上記実施形態に限定されるものではなく、その要旨を逸脱しない範囲で種々に変形することが可能である。
【符号の説明】
【００３７】
１  電子マニュアル表示装置
２  画像取り込み部
３  電子マニュアル記憶部
４  操作部
５  制御部
６  表示部
１０  対象製品
１１  製品名提示部
２０  ユーザ
【図１】
2011158959.tif 000003
【図２】
2011158959.tif 000004
【図３】
2011158959.tif 000005